(57)【要約】【課題】透視性能に優れ、軽量で高周波漏洩の無い上下分離式高周波加熱装置を実現すること。【解決手段】蓋１と、機械室１２とを備え、蓋１は有孔金属板製の外板２、内板３と、透明板４との３枚を一体化して構成することにより、有孔金属板単独では高周波漏洩が多少有っても、二重に設ける事により漏洩は十分に減衰し、また透明板４により針金の挿入が防止され、軽量で透視性能の優れた蓋が実現でき、上下分離式の高周波加熱装置が実現できる。【選択図】　図１
2004022218.tif 000002
【特許請求の範囲】
【請求項１】
下部の機械室と、上部の蓋とを有し、蓋は二枚の有孔金属平板と少なくとも一枚の透明板との三枚を重ねて折り曲げられて形成されてなる高周波加熱装置。
【請求項２】
蓋を構成する透明板を二枚の有孔金属平板で挟んだ請求項１に記載の高周波加熱装置。
【発明の詳細な説明】
【０００１】
【発明の属する技術分野】
本発明は、上下分離可能とした高周波加熱装置に関するものである。
【０００２】
【従来の技術】
従来、この種高周波加熱装置としては、例えば、特公平５−６２５３２号公報に記載されているようなものがあった。これは上部に半球状の蓋、下部に機械室を配置し、上下分離可能にした構成である。
【０００３】
【発明が解決しようとする課題】
しかしながら、この種の蓋は内部が良く見え、軽量で、高周波漏洩しない事が重要であるが、その実現は困難であった。最重要の透視性能は一般に壁面の開口率に左右され、開口率を増加させると高周波漏洩も増加する。開口率を維持しながら高周波漏洩を減少させるには極く小さな孔で小孔群を構成すれば良いが、この為には極く薄い金属板を用いる必要があり、機械強度が低下してしまう。ガラス等の透明材料で補強すると蓋が重くなる。蓋が重ければ開閉時に指を詰める可能性があり、危険である。
【０００４】
本発明は、前記従来の課題を解決するもので、透視性能が優れ、軽く、高周波漏洩の少ない蓋を有する上下分離式の高周波加熱装置を提供することを目的とする。
【０００５】
【課題を解決するための手段】
前記従来の課題を解決するために、本発明の高周波加熱装置は、下部の機械室と、上部の蓋とを有し、蓋は二枚の有孔金属平板と少なくとも一枚の透明板との三枚を重ねて折り曲げられて形成されるものである。
【０００６】
これによって、有孔金属平板一枚だけでは高周波漏洩が大きくとも、二枚重ねることにより小さくなり、また透明板が重ねられたことにより孔を通して針金が蓋の内部に挿入される危険が防げ、さらに毛利三本矢の如く三枚重ねによって機械強度が増加する。
【０００７】
【発明の実施の形態】
請求項１に記載の発明は、下部の機械室と、上部の蓋とを有し、蓋は二枚の有孔金属平板と少なくとも一枚の透明板との三枚を重ねて折り曲げられて形成されるものである。
【０００８】
これによって、有孔金属平板一枚だけでは高周波漏洩が大きくとも、二枚重ねることにより小さくなり、また透明板が重ねられたことにより孔を通して針金が蓋の内部に挿入される危険が防げ、さらに毛利三本矢の如く三枚重ねによって機械強度が増加し、透視性能が優れ、軽く、高周波漏洩の少ない蓋を有する上下分離式の高周波加熱装置が実現できる。
【０００９】
請求項２に記載の発明は、特に、請求項１に記載の高周波加熱装置の、蓋を構成する透明板を二枚の有孔金属平板で挟んだことにより、透明板が薄くても両側の金属板で機械的に保持され、一層軽量、安価に構成できる。
【００１０】
【実施例】
以下本発明の実施例について、図面を参照しながら説明する。
【００１１】
（実施例１）
図１は、本発明の第１の実施例における高周波加熱装置の蓋１を構成する外板２の展開図を示すものである。
【００１２】
有孔金属平板たるラスメタル（エキスパンドメタル）製である外板２は折り曲げられて後述の図２に示す様な箱形状になる。図１ではその箱との関連を示す意味で、前及び右の折り曲げ位置を線で示した。外側を紙面表面側に折り曲げる位置を破線で、逆に裏面側に折り曲げる位置を二点鎖線で表現した。ハッチングは円弧状の曲げを意味する。後の説明の都合上、これら曲げ位置及び端部に番号を付与する。曲げ位置２ａは折り曲げ後、天面前端に、端部２ｂ、２ｃ、２ｄ、及び２ｅは前右上に、曲げ位置２ｆは前面右端、曲げ位置２ｇと２ｈとは前面右コーナー部、曲げ位置２ｉは前面底部に位置する。この曲げ位置２ｉの外側、四方全てに長方形の小孔２ｊを開ける。同じくラスメタル製である内板３及び樹脂フィルム製の透明板４は全く同一の展開図を有する。それを強調する為に図１では本来外板２と完全に重ねられるべき内板３と透明板４とを左上に若干ずらして描いた。
【００１３】
図２はこの三枚の板を重ねて折り曲げた箱５を示す斜視図である。表面から外板２、透明板４、内板３の順に重ねて同時に折り曲げ、図２の形状を形成する。但し３枚ともみな薄い為に図では重なって一本の線にしか見えない。前述の２ａから２ｉまでの曲げ位置及び端部は図２において各々図示の位置を占める。端部２ｂ、２ｃ、２ｄ及び２ｅで形成される三つの円弧から成る孔５ａが上部の４隅にでき、その下には曲げ位置２ｇ及び２ｈの外側が両側から重ねられた合わせ部５ｂが形成される。合わせ部５ｂには三つの丸孔５ｃが開いている。
【００１４】
図３は図２の箱５の状態から蓋１に組み立てる途中状態を示す分解斜視図である。箱５に形成された孔５ａは外側から亜鉛ダイキャスト製のコーナー６、内側からステンレス鋼板製のコーナー板７とでサンドイッチ状に挟み込み、二本のビスで固定して塞ぐ。合わせ部５ｂは、断面が刺抜き形状であるステンレス鋼製の陵板８で両側から挟み、固定される。陵板８上端は前記コーナー６下端の溝６ａ（図４参照）に挿入される。箱５の底辺には４枚の底辺板９を設け、金具１０により箱５の底面にカシメられる。金具１０の外周の立ち壁を内側に折り曲げ固定する訳である。４枚の底辺板９は中央部に凸部９ａがあり、端部には垂直に曲げられた立ち上がり部９ｂが前記合わせ部５ｂ下端に接触する。隣接する二つの立ち上がり部９ｂは合わせ部５ｂと三枚重ねで前述の陵板８の下端にサンドイッチ状態で固定される。金具１０は磁石に吸引されない１８−８ステンレス鋼薄板製であり、底辺板９と箱５の底辺とを固定した状態で小孔２ｊと、凸部９ａ裏面の凹部、とで形成される小さな直方体空間には、永久磁石を収容する。磁石は図に描いてない。
【００１５】
図４はコーナー６とコーナー板７との斜視図である。前述の陵板８が挿入されるコーナー６の溝６ａが見える。
【００１６】
図５は機械室１２の斜視図である。機械室１２の上面は結晶化ガラス製の載置台１３があり、上面周囲にはスリットチョーク１４、両者の中間には水溜まり用溝１５である凹形状を設ける。機械室１２の側面には全周囲に亙って凸部１６が設けられ、その下部、前面には操作部１７が傾斜して設けられる。図には描いてないが、凸部１６の前後左右各々中央部１６ａ、１６ｂ、及び見えない１６ｃ、１６ｄで付番され、前記図２の４ヶ所の孔２ｊに対応する位置、にはホール素子を収納する。ホール素子の感応磁極は孔２ｊに収容された磁石の磁極と一致させる。前記スリットチョーク１４の外形寸法は前記箱５の内寸法より若干小さくし、凸部１６の外形寸法はスリットチョーク１４より大きくし、前記の金具１０の外形寸法と同等とする。
【００１７】
以上のように構成された高周波加熱装置について、以下にその動作、作用を説明する。
【００１８】
箱５は内外二重の金属板で構成されているので高周波漏洩しない。良く透視出来る様に開口率を上げる事により一枚のみでは多少漏洩があったとしても、二重になると漏洩しないのである。また透明板４があるので針金が箱５の内側に挿入される危険を防止できる。さらにコーナー６や陵板８等で内外板と透明板の３枚が一体化されているので各々単体での強度と比較すると大幅に強度向上が図れる。
【００１９】
蓋１と機械室１２とが結合された状態は従来例と基本的には同様であるので特に説明はしなかったが、相違点もあるのでそこに限定して説明する。蓋１を機械室１２の上からかぶせると前述の如く蓋１の内側寸法はスリットチョーク１４より大きいので蓋１の下端は下降し、凸部１６の上端に接する。この時凸部１６に収容されたホール素子は蓋１底部に固定された永久磁石に感応する。従ってホール素子は蓋１が装着された事を検出できる。二重の金属板製である箱５と載置台１３とで形成される空間が加熱室となり、スリットチョーク１４はこの加熱室からの高周波漏洩を防止する。
【００２０】
以上のように、本実施例においては有孔金属板製の内外二枚の板と透明板との３枚を一体化して箱５を構成することにより、高い開口率を維持したままで高周波漏洩が防止され、針金の挿入が防止され、機械強度向上が得られ、上下分離式の高周波加熱装置を実現することができる。
【００２１】
なお、本実施例の内外板２及び３を金網とすることにより一層の軽量化と開口率の向上が得られ、加熱室内部がより良く見え、軽い蓋を作る事ができる。また、内外板の一方をプレス加工による小孔群を開けた金属板に交換すると、さらなる機械強度向上が得られる。
【００２２】
さらに、本実施例の箱５は４側面及び上面を円弧形状としたが、円弧の半径を０にした状態、つまり箱５を直方体にすると、コーナー６及び７が不要となり、より軽量、安価に構成することができる。また透明板４は外板２の外側に位置せしめても良く、また薄い物を二枚用いても良い。
【００２３】
【発明の効果】
以上のように、請求項１，２に記載の発明によれば、透視性能が優れ、軽量で高周波漏洩の無い上下分離式の高周波加熱装置を実現することができる。
【図面の簡単な説明】
【図１】本発明の高周波加熱装置の蓋の展開図
【図２】本発明の高周波加熱装置の箱の斜視図
【図３】本発明の高周波加熱装置の蓋の分解斜視図
【図４】本発明の高周波加熱装置のコーナーの斜視図
【図５】本発明の高周波加熱装置の機械室の斜視図
【符号の説明】
１　蓋
２　外板（有孔金属板）
３　内板（有孔金属板）
４　透明板
１２　機械室
【図１】
2004022218.tif 000003
【図２】
2004022218.tif 000004
【図３】
2004022218.tif 000005
【図４】
2004022218.tif 000006
【図５】
2004022218.tif 000007